(57)【要約】【課題】  安価な設備コストで利用者の出入管理を行う。【解決手段】  可視光素子で構成される照明装置１４を各部屋に設置し、この設置された照明装置１４と利用者が所持する認証情報蓄積用携帯機２０との間で可視光通信を行い、照明装置１４から出射される情報光を利用者が所持する認証情報蓄積用携帯機２０で受光し、この受光した情報光を出入情報として処理して蓄積する。この蓄積された出入情報は、情報読取器３０を介して施解錠制御盤５０に出力され、予め設定された解析情報に基づいて解析し、この解析結果を利用者の出入履歴として得る。【選択図】    図１
2006139689.tif 000002
【特許請求の範囲】
【請求項１】
可視光を用いて利用者の出入履歴を管理する出入管理システムであって、
前記利用者の出入履歴を管理する管理領域毎に設置された可視光素子からなる照明装置を備え、該照明装置毎に設定された情報光を出射する出入情報通信装置と、
前記利用者が所持するものであって、前記出入情報通信装置から出射された前記情報光を前記管理領域内での移動に伴って受光し、該受光した情報光を予め設定された閾値をもとに２値化処理し、該２値化処理されたデータを出入情報として順次蓄積する出入情報蓄積用携帯機とを具備したことを特徴とする出入管理システム。
【請求項２】
可視光を用いて利用者の出入履歴を管理する出入管理システムであって、
前記利用者の出入履歴を管理する管理領域毎に設置された可視光素子からなる照明装置を備え、該照明装置毎に設定された情報光を出射する出入情報通信装置と、
前記利用者が所持するものであって、前記出入情報通信装置から出射された前記情報光を前記管理領域内での移動に伴って受光し、該受光した情報光を予め設定された閾値をもとに２値化処理し、該２値化処理されたデータを出入情報として順次蓄積する出入情報蓄積用携帯機と、
前記出入情報蓄積用携帯機に蓄積された前記出入情報を読み取る情報読取器とを具備したことを特徴とする出入管理システム。
【請求項３】
可視光を用いて利用者の出入履歴を管理する出入管理システムであって、
前記利用者の出入履歴を管理する管理領域毎に設置された可視光素子からなる照明装置を備え、該照明装置毎に設定された情報光を出射する出入情報通信装置と、
前記利用者が所持するものであって、前記出入情報通信装置から出射された前記情報光を前記管理領域内での移動に伴って受光し、該受光した情報光を予め設定された閾値をもとに２値化処理し、該２値化処理されたデータを出入情報として順次蓄積する出入情報蓄積用携帯機と、
前記出入情報蓄積用携帯機に蓄積された前記出入情報を読み取り、この読み取った出入情報の解析結果に基づいて電気錠を施解錠制御する処理装置とを具備したことを特徴とする出入管理システム。
【請求項４】
前記処理装置は、入館時で外部から前記電気錠の解錠を行うときに前記出入情報蓄積用携帯機から読み取った解錠情報と予め記憶された解錠用情報とを比較し、読み取った解錠情報が正当な情報であるか否かを判別し、退館時には前記出入情報蓄積用携帯機から読み取った出入情報と予め記憶された解析情報とを比較して出入情報の解析を行い、解析結果に応じて前記出入情報が正常であるか否かを判別する情報読取器を備えたことを特徴とする請求項３記載の出入管理システム。
【発明の詳細な説明】
【技術分野】
【０００１】
本発明は、利用者の出入を管理する出入管理システムに関し、特に、出入を管理する各部屋内に備え付けられた照明装置から特定の管理情報を可視光として発し、この可視光を発する照明装置と利用者が所持する携帯機との間で可視光通信を行って利用者の出入を管理する出入管理システムに関するものである。
【背景技術】
【０００２】
近年、人間の目に光として認識できる波長を持った電磁波である可視光（約３８０ｎｍ〜７８０ｎｍ）を用いて様々な情報を通信する可視光通信の開発が進められている。この可視光通信とは、応答速度が速くまた電気的に制御できるＬＥＤ（Ｌｉｇｈｔ  Ｅｍｉｔｔｉｎｇ  Ｄｉｏｄｅ）などの可視光素子の特性を応用し、人間の目には感じられない程の速度で高速に点滅させて情報光として受光素子に出射し、受光した情報光の受光量に応じた電気信号を所定の閾値と比較して「０」、「１」に２値化し、様々な情報を通信するというものである。可視光域は人間に安全なため、照明に用いている数ワットという高い電力のままデータ送信することができる。しかも、照明は至る所に設置されているため、照明機器に通信機能を付加するだけでワイヤレス環境が構築できる。これにより、従来の無線や赤外線で生じていた問題点を克服することができるとともに、環境に安全な超高速通信が実現できるという利点がある。
【０００３】
ところで、従来から知られている出入管理システムでは、例えば磁気カードやＩＣカード等のカード情報（暗証番号など）、指紋、虹彩等の身体的特徴による個人識別情報、通行条件などを管理端末によって登録しておき、これら登録情報との照合結果に基づいて例えばオフィスビル、倉庫、研究室等の通行制御を行っている。そして、このような出入管理システムとしては、例えば特許文献１に開示されるようなものが周知である。
【０００４】
特許文献１に開示される出入管理システムは、図４に示すように、個人識別媒体であるＩＤカードのデータを読み取るための非接触カードリーダ（媒体識別手段）１０１、生体特徴の代表的なものである指紋を読みとるための指紋読みとり器（個人特定手段）１０２、自由な出入りを制限するドア１０３、ＩＤカードから読み込んだＩＤデータ並びに指紋がこのドアを出入りできる者のデータを示すか否かを判定する制御部１０４で構成され、指紋読みとり器１０２及びドア１０３の電気錠は制御部１０４に電気的に接続されている。
【０００５】
この出入管理システムでは、特定区域１０５への出入りを望む者が、カードリーダ１０１に指紋データ検索のキーとなる自分のＩＤカードを近づけると、カードリーダ１０１がＩＤデータを読み取り、そのＩＤデータが制御部１０４に送られ、ＩＤデータが特定区域１０５に出入り可能な者を表すか否かを判定する。そして、出入りする者が指を指紋読みとり器１０２の所定の位置に置くと、指紋が読み込まれ、その指紋に従い、制御部１０４が指紋を読み込ませた者に対し特定区域１０５に出入が可であるか否かを判断し、この判断結果に応じて電気錠の施解錠制御を行う。
【特許文献１】特開平１１−２３２５１３号公報
【発明の開示】
【発明が解決しようとする課題】
【０００６】
しかしながら、特許文献１の出入管理システムを含め、従来から知られている出入管理システムでは、以下に示すような課題があった。
（１）所定動作により電気錠が解錠された場合に、出入りを望む者が実際に出入したかが判別できない。例えば電気錠を解錠して扉を開けただけで実際には入室していなくても入室と判断してしまう。
（２）正当な入館者しか退出できないアンチパスバック等の機能も（１）の抜け道がある。
（３）電気錠が解錠された際、前の人の後追いで出入した場合、その出入理履歴が残らない。これに対処するには、大掛かりで高価なフラッパーゲートなどの装置を別途設置するしかない。
【０００７】
そこで、本発明は上記問題点に鑑みてなされたものであり、安価な設備コストで利用者の出入管理を行うことができる出入管理システムを提供することを目的とするものである。
【課題を解決するための手段】
【０００８】
上記した目的を達成するために、請求項１に記載された出入管理システムは、可視光を用いて利用者の出入履歴を管理する出入管理システムであって、
前記利用者の出入履歴を管理する管理領域毎に設置された可視光素子からなる照明装置を備え、該照明装置毎に設定された情報光を出射する出入情報通信装置と、
前記利用者が所持するものであって、前記出入情報通信装置から出射された前記情報光を前記管理領域内での移動に伴って受光し、該受光した情報光を予め設定された閾値をもとに２値化処理し、該２値化処理されたデータを出入情報として順次蓄積する出入情報蓄積用携帯機とを具備したことを特徴とする。
【０００９】
請求項２に記載された出入管理システムは、可視光を用いて利用者の出入履歴を管理する出入管理システムであって、
前記利用者の出入履歴を管理する管理領域毎に設置された可視光素子からなる照明装置を備え、該照明装置毎に設定された情報光を出射する出入情報通信装置と、
前記利用者が所持するものであって、前記出入情報通信装置から出射された前記情報光を前記管理領域内での移動に伴って受光し、該受光した情報光を予め設定された閾値をもとに２値化処理し、該２値化処理されたデータを出入情報として順次蓄積する出入情報蓄積用携帯機と、
前記出入情報蓄積用携帯機に蓄積された前記出入情報を読み取る情報読取器とを具備したことを特徴とする。
【００１０】
請求項３に記載された出入管理システムは、可視光を用いて利用者の出入履歴を管理する出入管理システムであって、
前記利用者の出入履歴を管理する管理領域毎に設置された可視光素子からなる照明装置を備え、該照明装置毎に設定された情報光を出射する出入情報通信装置と、
前記利用者が所持するものであって、前記出入情報通信装置から出射された前記情報光を前記管理領域内での移動に伴って受光し、該受光した情報光を予め設定された閾値をもとに２値化処理し、該２値化処理されたデータを出入情報として順次蓄積する出入情報蓄積用携帯機と、
前記出入情報蓄積用携帯機に蓄積された前記出入情報を読み取り、この読み取った出入情報の解析結果に基づいて電気錠を施解錠制御する処理装置とを具備したことを特徴とする。
【００１１】
請求項４に記載された出入管理システムは、請求項３の出入管理システムにおいて、
前記処理装置は、入館時で外部から前記電気錠の解錠を行うときに前記出入情報蓄積用携帯機から読み取った解錠情報と予め記憶された解錠用情報とを比較し、読み取った解錠情報が正当な情報であるか否かを判別し、退館時には前記出入情報蓄積用携帯機から読み取った出入情報と予め記憶された解析情報とを比較して出入情報の解析を行い、解析結果に応じて前記出入情報が正常であるか否かを判別する情報読取器を備えたことを特徴とする。
【発明の効果】
【００１２】
本発明の出入管理システムによれば、既存の照明装置を可視光素子に変更し、その照明装置から出射される可視光を用いて出入情報を通信することにより、安価な設備コストで確実に利用者の出入管理を行うことができる。
【００１３】
また、出入情報の通信方法として可視光通信を用いているので、出入情報に基づいた情報光を所定範囲内にのみ出射させることができ、他の場所から送信された異なる情報を受信する恐れがなく、信頼性の高い出入管理を実現することができる。
【発明を実施するための最良の形態】
【００１４】
以下、本発明の実施の形態について、添付した図面を参照しながら具体的に説明する。図１は本発明に係る出入管理システムの電気的構成を示す概略ブロック図、図２は本発明に係る出入管理システムの使用例の動作を示すフローチャート図、図３は図２の出入管理システムの他の使用例の動作を示すフローチャート図である。
【００１５】
本例の出入管理システムは、例えばオフィスビル、研究所、倉庫などの出入管理が必要な場所に設置され、例えばＬＥＤなどの可視光素子を用いた照明装置から発せられる可視光により様々な情報を通信する可視光通信を採用している。可視光通信は、例えば天井にある照明器具などがそのまま情報発信の通信インフラになり、その光が届く場所しかデータが到達しないので、その部屋から外へは情報が漏れないという利点を有している。本例の出入管理システムでは、この可視光通信を採用することにより、照明装置から利用者が所持する出入情報蓄積用携帯機に対して出入情報を送信し、出入情報蓄積用携帯機に蓄積された出入情報に基づいて利用者の出入管理を行っている。
【００１６】
まず、本例の出入管理システムの電気的構成について図１を参照しながら説明する。図１に示すように、出入管理システム１は、出入情報通信装置１０、出入情報蓄積用携帯機２０、情報読取器３０、施解錠装置４０を備えて概略構成される。
【００１７】
出入情報通信装置１０は、制御部１１、制御部側レベル調整部１２、照明装置側レベル調整部１３、照明装置１４を備えて構成される。出入情報通信装置１０は、利用者が所持する出入情報蓄積用携帯機２０に対し、各照明装置１４の設置場所、日時、滞在時間などの出入情報を送信している。
【００１８】
制御部１１は、例えばＣＰＵを搭載したパーソナルコンピューターなどで構成され、出入情報記憶手段１１ａ、照明制御用駆動手段１１ｂを備えている。制御部１１は、照明装置１４の設置場所、日時、滞在時間などの出入情報の出力制御、照明装置１４から出射される出入情報を含む情報光の駆動制御を行っている。また、制御部１１は、後述する施解錠制御盤５０と接続されており、施解錠制御盤５０から通信される出入情報や解析結果を取り込み、この取り込んだ出入情報や解析結果を例えば不図示のプリンタや他のパソコンなどの周辺機器に出力制御している。
【００１９】
出入情報記憶手段１１ａは、例えば磁気的、光学的記憶媒体若しくは半導体メモリなどで構成される。出入情報記憶手段１１ａは、照明装置１４の設置場所、日時、滞在時間など利用者の出入に関する各種情報を記憶している。そして、この記憶されている各照明装置１４毎の出入情報を照明制御用駆動手段１１ｂに出力している。
【００２０】
照明制御用駆動手段１１ｂは、出入情報記憶手段１１ａからの各照明装置１４毎の出入情報を入力として、各出入情報に応じた情報光で各照明装置１４を駆動するための駆動制御信号を制御部側レベル調整部１２に出力している。
【００２１】
制御部側レベル調整部１２は、例えばレベルコンバータなどで構成され、照明制御用駆動手段１１ｂから出力された駆動制御信号の信号電圧のレベルを調整している。そして、レベル調整された駆動制御信号は、制御部側レベル調整部１２と同構成の照明装置側レベル調整部１３に出力され、再度信号電圧のレベルが調整された後、照明装置１４に出力される。これにより、各照明装置１４には、照明装置１４毎にレベル調整された駆動制御信号が入力される。
【００２２】
照明装置１４は、例えばＬＥＤなどの高速に点滅して可視光を出射する可視光素子を複数列設して構成される。照明装置１４は、利用者の出入履歴を管理する管理領域毎（例えば各部屋内や通路など）に設置される。照明装置１４は、各設置場所に応じて設定された出入情報を送信するため、制御部１１から出力される駆動制御信号により点滅駆動された可視光を出射している。これにより、可視光は、設置された場所毎の情報光として利用者が通過する所定範囲内に出射される。
【００２３】
出入情報蓄積用携帯機２０は、例えば非接触ＩＣチップ内蔵のカードやリモコンなどの携帯型の送受信機能を有し、例えば利用者が移動時に首からぶら下げて所持する。出入情報蓄積用携帯機２０は、情報光処理部２１、データ蓄積部２２、情報送信部２３を備えている。出入情報蓄積用携帯機２０は、照明装置１４から出射された情報光を所定範囲内で受光し、受光した情報光を処理し出入情報として蓄積する。この蓄積された出入情報は、出入情報蓄積用携帯機２０を情報読取器３０に近づけたときに、情報読取器２０によって非接触で読み取られる。
【００２４】
情報光処理部２１は、例えば基板上にドットマトリクス状に配列されたフォトダイオードなどで構成された受光手段２１ａと、受光手段２１ａが受光した情報光に応じた電気信号を増幅する増幅手段２１ｂと、増幅手段２１ｂで増幅した電気信号を所定閾値と比較して２値化する比較手段２１ｃとを具備する。情報光処理部２１は、出入情報通信装置１０から出射された情報光を受光手段２１ａが受光し、この受光した情報光に応じた電気信号を増幅手段２１ｂで増幅し、この増幅された情報光に応じた電気信号を予め設定された所定の閾値と比較して「０」、「１」に２値化する。そして、２値化された情報光の電気信号を出入情報としてデータ蓄積部２２に出力する。
【００２５】
データ蓄積部２２は、例えば半導体メモリなどの記憶媒体で構成され、情報光処理部２１からの出入情報を逐次蓄積している。この蓄積された出入情報は、所定操作（例えば出入情報蓄積用携帯機２０を情報読取器３０にかざす操作）により情報送信部２３から情報読取器３０に出力される。
【００２６】
情報送信部２３は、例えばＣＰＵとメモリを実装した非接触ＩＣチップから構成され、後述する情報読取器３０の情報受信部３１の所定範囲内に出入情報蓄積用携帯機２０を近接させて出入情報を送信する。
【００２７】
情報読取器３０は、例えば例えばオフィスビル、研究所、倉庫などの出入管理される出入口に設置され、情報受信部３１、操作部３２、表示部３３、読取器側通信用入出力部３４を備えて構成される。情報読取器３０は、電気錠６０が施錠された部屋に入館する際、出入情報蓄積用携帯機２０から解錠情報（電気錠６０を解錠するために必要な情報、例えば暗証番号、指紋、虹彩等の身体的特徴による個人識別情報など）を読み取っている。また、情報読取器３０は、退館時に出入情報蓄積用携帯機２０に蓄積された出入情報を受信して施解錠装置４０に出力している。
【００２８】
情報受信部３１は、例えば出入情報蓄積用携帯機２０に具備された非接触ＩＣチップに対応したリーダーなどの読取装置で構成され、リーダーから発せられる特定周波数帯の電磁波を利用し、出入情報蓄積用携帯機２０から送信された出入情報を受信して読取器側通信用入出力部３４を介して後述する施解錠制御盤５０の制御盤側通信用入出力部５１に出力している。
【００２９】
操作部３２は、例えばテンキーや操作ボタンなどで構成され、暗証番号入力や手動で電気錠６０の施解錠に関する各種情報の入力を行う。また、表示部３３は、例えばＬＥＤや液晶画面などで構成され、出入情報蓄積用携帯機２０から送信された出入情報や後述する施解錠制御盤５０からの施解錠制御に応じた表示内容を点滅／点灯表示や文字表示している。
【００３０】
読取器側通信用入出力部３４は、例えばＲＳ−２３２ＣやＵＳＢなどの通信用インターフェースで構成され、情報読取器３０と施解錠装置４０との間で行われる様々なデータ通信や電源供給に用いられる。
【００３１】
施解錠装置４０は、出入情報蓄積用携帯機２０や情報読取器３０からの情報（出入情報を含む）に基づいて電気錠６０の施解錠制御を行う施解錠制御盤５０と、利用者が建物に入退出を行う際に使用する扉の錠前を電気的に施解錠する電気錠６０とを備えている。ここでは、施解錠装置４０として、閉扉状態が所定時間継続したときに自動的に電気錠６０を施錠状態に保持するオートロックシステムを採用している。
【００３２】
施解錠制御盤５０は、制御盤側通信用入出力部５１、情報記憶部５２、解析処理部５３、表示部５４、操作部５５、電源供給部５６、警報発報部５７を備えて構成され、情報読取器３０からの解錠情報や出入情報蓄積用携帯機２０からの出入情報に基づいて各種処理を行う。また、施解錠制御盤５０は、出入情報通信装置１０とケーブルや無線ＬＡＮを用いたイーサネット（登録商標）などのネットワーク通信ができるように構成されており、施解錠制御盤５０が入力した出入情報や出入情報の解析結果などの各種情報を適宜通信している。
【００３３】
制御盤側通信用入出力部５１は、読取器側通信用入出力部３４と同一の構成であり、情報読取器３０と施解錠制御部１１との間で行われる各種データ通信や電源供給時に用いられる。また、情報読取器３０からの解錠情報や出入情報に基づいて、電気錠６０へ出力する施解錠信号や錠の状態信号などの施解錠に関する信号も通信している。
【００３４】
情報記憶部５２は、例えば磁気的、光学的記憶媒体や半導体メモリなどで構成され、各照明装置１４毎に設定された出入情報、利用者が通行する正確な通過ルートや通過する部屋の順番、利用者毎に設定された部屋の利用権限、各照明装置１４が設置された場所における利用者の滞在時間の上限や下限などの予め設定された出入情報を解析するのに必要な解析情報を記憶している。また、情報記憶部５２は、外部から電気錠６０を解錠する際に、出入情報蓄積用携帯機２０から情報読取器３０が読み取った解錠情報と比較するための解錠用情報も記憶している。
【００３５】
解析処理部５３は、入館時に外部から電気錠６０の解錠を行うときに読み取った解錠情報と予め情報記憶部５２に記憶されている解錠用情報とを比較し、読み取った解錠情報が正当な情報であるか否かを判別し、正当な情報と判別したときに解錠信号を制御盤側通信用入出力部５１を介して電気錠６０に出力している。また、解析処理部５３は、退館時に情報読取器３０からの出入情報と情報記憶部５２に予め記憶された解析情報とを比較して出入情報の解析を行い、解析結果に応じて出入情報が正常であるか否かを判別する。そして、全ての出入情報の解析結果が正常であると判断された場合のみ解錠信号を制御盤側通信用入出力部５１を介して電気錠６０に出力する。
【００３６】
操作部５４は、例えばテンキーや操作ボタンなどで構成され、暗証番号入力や手動で電気錠６０の施解錠に関する各種情報の入力を行う。また、表示部５５は、例えばＬＥＤや液晶画面などで構成され、出入情報蓄積用携帯機２０から送信された出入情報や施解錠制御盤５０からの施解錠制御に基づいた表示内容を点滅／点灯表示や文字表示している。
【００３７】
電源供給部５６は、例えば商用電源（ＡＣ１００Ｖ）である外部電源から電源の供給を受け、情報読取器３０と施解錠装置４０にそれぞれ具備される各部に駆動電源を供給している。
【００３８】
警報発報部５７は、有線若しくは無線通信インタフェースで構成され、出入情報蓄積用携帯機２０から出力された出入情報と情報記憶部５２に記憶されている解析情報とを用いて解析した結果が正常でないと判断された場合、例えば警報機などのブザー発報、管理者や登録先の携帯電話への通報、電話回線などの公衆回線網遠隔に配置される不図示の管理センタとの間で通信などを行い、異常発生を報知・通報する。
【００３９】
電気錠６０は、出入情報蓄積用携帯機２０から送信された出入情報に応じて、施解錠制御盤５０から出力される施解錠信号（施錠信号又は解錠信号）により扉枠の係止穴に対してデッドボルトを突出（施錠時）又は引き込む（解錠時）ことにより施解錠している。なお、本例では、閉扉状態が所定時間継続したときに自動的に施錠されるオートロックシステムを採用している。
【００４０】
次に、上述した出入管理システム１の使用例について、図２と図３を参照しながらぞれぞれ具体例を挙げて説明する。
【００４１】
まず、本例の出入管理システム１を利用者の出入管理として使用した場合について具体的に説明する。この場合、出入管理システム１は、例えばオフィスビルや研究所に設けられ、非接触ＩＣチップ内蔵のカードを出入情報蓄積用携帯機２０として使用し、建物の入出口に入館用と退館用の情報読取器３０が設置された構成であり、入館および退館時にデータ照合を行っている。
【００４２】
図２に示すように、まず、オフィスや研究所に入館したとき、入口付近に設定された情報読取器３０にカード２０をかざす（ＳＴ１）。これにより、情報読取部３０は、カード２０から解錠情報を読み取り、読み取った解錠情報を施解錠装置４０に送出する。施解錠装置４０では、情報読取部３０からの解錠情報を解析し、カード２０が有効であるか否かの判別を行う（ＳＴ２）。施解錠装置４０は、情報読取部３０からの解錠情報が情報記憶部５２に予め登録されている解錠情報との照合が一致した場合（ＳＴ２−Ｙｅｓ）、電気錠６０を解錠して利用者を入館させる。これに対し、情報読取部３０からの解錠情報が登録されていない情報か、或いは不正な解錠情報である場合には（ＳＴ２−Ｎｏ）、電気錠６０の解錠は行わない。
【００４３】
解錠情報の照合が一致し、利用者が建物に入館して利用したい部屋に入室すると、その部屋の所定箇所（例えば天井）に設置されている照明装置１４からは所定範囲内で情報光が常時送信されている（ＳＴ３）。そして、この情報光は、利用者が所持するカード２０が所定範囲内に来ると、カード２０によって受光され、所定の処理が施された後、各部屋毎の出入情報としてカード２０内に蓄積される（ＳＴ４）。この出入情報の蓄積は、カード２０を所持する利用者が照明装置１４の所定範囲内を通過する度に行われる。
【００４４】
そして、退館時に、利用者が所持するカード２０を出口に設定された情報読取器３０の所定位置にかざすと、カード２０内に蓄積された出入情報が情報読取器３０に送信され、情報読取器３０から施解錠装置４０の施解錠制御盤５０に出入情報が出力される。そして、施解錠制御盤５０では、情報読取器３０から受信した出入情報を解析する（ＳＴ５）。施解錠制御盤５０は、出入情報が予め設定された解析情報と条件が一致したとき（ＳＴ５−Ｙｅｓ）、正常と判断し、電気錠６０に解錠信号を出力して電気錠６０を解錠する。これに対し、出入情報が予め設定された解析情報と条件が一致しないときは（ＳＴ５−Ｎｏ）、利用者が所定の行動をしていないと判断し、警報発報部５７から発報・通報し、電気錠６０は解除しない。
【００４５】
次に、本例の出入管理システム１をスーパーマーケット等の商業施設のマーケティングとして使用した場合について具体的に説明する。この場合、出入管理システム１は、例えばスーパーマーケットに設けられ、出入情報蓄積用携帯機２０は非接触ＩＣチップを具備したタグとしてショッピングカートに設置され、商品が陳列されている各フロアの通路毎に照明装置１４を配置した構成である。なお、この場合の出入管理システム１は、施解錠装置４０がない構成である。
【００４６】
図３に示すように、消費者がスーパーマーケットに入店し、ショッピングカートを自走してショッピングを行うと（ＳＴ１１）、各商品フロアを移動した際に、各商品フロアに配設された照明装置１４から所定範囲内に送信される情報光がショッピングカートに設置されたタグ２０によって受光される。このタグ２０によって受光された情報光は、所定の信号処理が施され、各商品フロア毎に設定された出入情報としてタグ２０内に蓄積される（ＳＴ１２、ＳＴ１３）。このタグ２０内への出入情報の蓄積は、ショッピングカートに設置されたタグ２０が照明装置１４の所定範囲内を通過する度に行われる。
【００４７】
そして、退店時、タグ２０に蓄積された出入情報は、例えばショッピングカートの返却置場にて情報読取器３０により読み取られる（ＳＴ１４）。この読み取られた出入情報は、不図示の管理システム（パソコンなどの端末装置）に通信されて解析され、その解析の結果、消費者の通過ルートや通行履歴、各商品フロアでの滞在時間、レジでの待ち時間などの各種情報が得られる。
【００４８】
このように、上述した出入管理システム１は、各部屋に設置された照明装置１４から出射される情報光を利用者が所持する出入情報蓄積用携帯機２０で受光し、この受光した情報光を処理して出入情報として出入情報蓄積用携帯機２０に蓄積する。そして、蓄積した出入情報は、情報読取器３０を介して施解錠制御盤５０に出力され、予め設定された解析情報との照合により利用者の出入履歴を解析する。これにより、利用者が建物に入館してから退館するまでの各部屋毎の出入履歴を認識することができ、正常な行動を行っていない利用者の不正退出を防止することができる。
【００４９】
また、既存の照明をＬＥＤなどの可視光素子を用いた照明に交換するだけでよく、設備コストを安価にすることができる。また、出入情報の通信手段として可視光通信を用いているので、限られた範囲内にのみ情報光が出射され、無線ＬＡＮなどのように送信エリアが広範囲にならず、異なる出入情報を受信したり、他の場所に情報が漏洩するのを防止する効果を奏するとともに、エリア構成が容易にできるという利点がある。
【００５０】
さらに、スーパーマーケットなどの商業施設に構築すれば、消費者の行動パターンや各商品フロアでの滞在時間、現在人気のある商品の種類などの様々なマーケティングリサーチをすることができ、集客率の向上や商品の販売促進などの経営戦略に役立てることもできる。
【００５１】
ところで、上述した出入管理システムにおいて、出入情報蓄積用携帯機２０から送信された出入情報を情報読取器３０で読取った後、施解錠装置４０に出力する構成としたが、これに限定されることはなく、情報読取器３０の機能を施解錠制御装置４０に組み込んで一体化した処理装置として構成しても良い。
【００５２】
また、上述した実施形態では、施解錠装置４０として、電気錠６０を解錠制御した後、閉扉状態が所定時間継続したときに自動的に施錠制御される構成として説明したが、扉の開閉状態および電気錠６０の施解錠状態をモニタし、情報読取器３０から施錠情報が入力されたときにモニタ情報に応じて施錠制御する構成とすることもできる。
【００５３】
以上、本発明を用いて最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００５４】
【図１】本発明に係る出入管理システムの電気的構成を示す概略ブロック図である。
【図２】本発明に係る出入管理システムの使用例の動作を示すフローチャート図である。
【図３】図２の出入管理システムの他の使用例の動作を示すフローチャート図である。
【図４】従来の出入管理システムの概略図である。
【符号の説明】
【００５５】
１  出入管理システム
１０  出入情報通信装置
１１  制御部
１１ａ  出入情報記憶手段
１１ｂ  照明制御用駆動手段
１２  制御部側レベル調整部
１３  照明装置側レベル調整部
１４  照明装置
２０  出入情報蓄積用携帯機
２１  情報光処理部
２１ａ  受光手段
２１ｂ  増幅手段
２１ｃ  比較手段
２２  データ蓄積部
２３  情報送信部
３０  情報読取器
３１  情報受信部
３２  操作部
３３  表示部
３４  読取器側通信用入出力部
４０  施解錠装置
５０  施解錠制御盤
５１  制御盤側通信用入出力部
５２  情報記憶部
５３  解析処理部
５４  表示部
５５  操作部
５６  電源供給部
５７  警報発報部
６０  電気錠
【図１】
2006139689.tif 000003
【図２】
2006139689.tif 000004
【図３】
2006139689.tif 000005
【図４】
2006139689.tif 000006